(57)【特許請求の範囲】
【請求項１】
ボード部とスタンド部とクリーナー部からなるホワイトボードにおいて、
前記ボード部は、背面側中心付近に円筒状の突起を備え、
前記スタンド部は、台座部と該台座部から起立するボード支持部を備え、
前記ボード支持部には、高さの異なる位置に前記円筒状の突起を保持する凹部を有し、前記凹部の一方は、前記円筒状の突起を保持した際に、前記ボード部が前記スタンド部に対して回動可能であり、前記凹部の他方は、前記円筒状の突起を保持した際に、前記ボード部の側辺部が前記台側辺部に接することにより回動不能に保持する位置に設けられ、
前記クリーナー部は、基部が前記台座部に回動可能に保持され、前記クリーナー部不使用時には、前記ボード部を覆わない位置で前記台座部に載置され、前記クリーナー部使用時には、前記クリーナー部の一端が少なくとも前記ボード部表面の回動中心の位置まで延在するとともに、前記クリーナー部の他端が少なくとも前記ボード部表面の外周に接するように移動可能とされている、
ことを特徴とするホワイトボード。
【請求項２】
前記円筒状の突起を保持する凹部は、前記スタンド部に設けた円孔または前記スタンド部の上部から下部に向けて設けたＵ字溝であることを特徴とする請求項１記載のホワイトボード。
【請求項３】
前記ボード部は、正方形であることを特徴とする請求項１または２記載のホワイトボード。
【請求項４】
前記円筒状の突起の前記ボード部と反対側には、脱落防止板が設けられていることを特徴とする請求項１ないし請求項３いずれか一項に記載のホワイトボード。
【発明の詳細な説明】
【技術分野】
【０００１】  本発明は、クリーナーを備えたホワイトボードに関するものである。
【背景技術】
【０００２】  ホワイトボードはペンで記述した文字を、クリーナーを用いて掃除可能という利点がある。しかし、ボードの角はクリーナーの形状によっては掃除しにくく、また全体を掃除するためには時間を要する。【０００３】  これまでに出願されている特許などを見ると、三角柱にボードがつきクリーナーを押し当てて掃除ができるもの（特許文献１）、円柱にボードがつき面の下に設置したクリーナーで掃除するもの（特許文献２）、ボード面に沿って移動のできるクリーナーを保持するアームがついておりアームを移動することでボード全体を掃除できるもの（特許文献３）などのアイデアがあるが、ホワイトボード全体が大きなものであることや、ボード面をクリーナーが遮蔽してしまうなどといった課題があった。
【先行技術文献】
【特許文献】
【０００４】
【特許文献１】特開２００１―０９６９８１号公報
【特許文献２】特開平６―２１０９９２号公報
【特許文献３】実用新案登登録第３０６４１７３号公報
【発明の概要】
【発明が解決しようとする課題】
【０００５】  従来のホワイトボードにおいては、ホワイトボード全体を消そうとした場合に時間がかかる、また、全体を手早く消そうとした場合に四隅に消し残しが生じることがある。
【課題を解決するための手段】
【０００６】  本発明は、ボード部とスタンド部とクリーナー部からなるホワイトボードにおいて、前記ボード部は、背面側中心付近に円筒状の突起を備え、前記スタンド部は、台座部と該台座部から起立するボード支持部を備え、前記ボード支持部には、高さの異なる位置に前記円筒状の突起を保持する凹部を有し、前記凹部の一方は、前記円筒状の突起を保持した際に、前記ボード部が前記スタンド部に対して回動可能であり、前記凹部の他方は、前記円筒状の突起を保持した際に、前記ボード部の側辺部が前記台座部に接することにより回動不能に保持する位置に設けられ、前記クリーナー部は、基部が前記台座部に回動可能に保持され、前記クリーナー部不使用時には、前記ボード部を覆わない位置で前記台座部に載置され、前記クリーナー部使用時には、前記クリーナー部の一端が少なくとも前記ボード部表面の回動中心の位置まで延在するとともに、前記クリーナー部の他端が少なくとも前記ボード部表面の外周に接するように移動可能とされていることを特徴とする。
【図面の簡単な説明】
【０００７】
【図１】ホワイトボードのクリーナー部不使用時の正面図である。
【図２】ホワイトボードのクリーナー部不使用時の背面図である。
【図３】ホワイトボードのクリーナー部不使用時を正面側から見た斜視図である。
【図４】ホワイトボードのクリーナー部使用時の正面図である。
【図５】ホワイトボードのクリーナー部使用時の背面図である。
【図６】ホワイトボードのクリーナー部使用時を正面側から見た斜視図である。
【図７】ホワイトボードのクリーナー部使用時を背面側から見た斜視図である。
【発明を実施するための形態】
【０００８】  本発明のホワイトボードは、図１から図３に示すように、略Ｌ字状のスタンド部１と、ボード部２と、クリーナー部３から構成されている。クリーナー部３は、その一端３−１がスタンド部１の台座部４に回動自在に支持５されている。スタンド部１のボード支持部６には、スタンド部１の上部から２つの深さの異なるＵ字溝７が設けられている。このＵ字溝７には、クリーナー部３の背面に設けられた円筒状の突起８が嵌装される。
【０００９】  図１から図３に示しているクリーナー部３不使用時では、従来のホワイトボードのように、ボード部２にはホワイトボードマーカーにて文字の記載や図の描画が可能である。このとき、図２に示しているように、スタンド部１に備えているボード支持部としての前記Ｕ字溝７の、一方に比べ低い位置の凹部に、ボード部２の円筒状の突起８を保持する。また、クリーナー部３はボード部２を覆わない位置に載置され、ホワイトボードの利便性を損なうことはない。
【００１０】  図４から図７に示しているクリーナー部３の使用時では、図５に示すように、スタンド部１に備えているボード支持部としてのＵ字溝７の一方に比べ高い位置の凹部にボード部２の円筒状の突起８を保持する。この時、図４から図７に示すようにボード部２がスタンド部１に対して回動可能となる。クリーナー部３の他端３−２をボード部２中心付近に移動させ、その後ボード部２をスタンド部１に対して回転させることで、ボード部２全体をクリーナー部３で掃除することが可能となる。
【００１１】  図７に示すように、ボード部２の円筒状の突起８には脱落防止板９を有しており、ボード部２がスタンド部１から落下しないようにしている。
【００１２】  ボード部２は、正方形だけでなく、用途に応じて例えば楕円形、六角形などに形状を変化させることが可能である。
【００１３】  スタンド部１に設けられたボード支持部としてのＵ字溝７は、高さの異なる位置に突起８と略同径の円孔にし、ボード部２をスタンド部１に対して回動可能或いはボード部２の側辺部がスタンド部１の台座部４に接することにより回動不能にしてもよい。
【００１４】  スタンド部１は、据え置きの使用だけではなく、壁にかけて使用することも可能である。
【産業上の利用可能性】
【００１５】  本発明は使い方が容易であり、掃除を即時に終わらせることが可能である。また、従来のホワイトボードの機能を備えたままであるため、教育現場や日常生活等、幅広い場面で利用可能である。
【符号の説明】
【００１６】１・・・スタンド部
２・・・ボード部
３・・・クリーナー部
４・・・台座部
５・・・支持
６・・・ボード支持部
７・・・ボード支持部としてのＵ字溝
８・・・円筒状の突起
９・・・脱落防止板
【要約】
【課題】ホワイトボード全体の素早い掃除および四隅の消し残しの減少
【解決手段】本発明は，ボード部２とスタンド部１とクリーナー部３からなるホワイトボードにおいて，前記ボード部は，背面側中心付近に円筒状の突起８を備え，前記スタンド部は，台座部４と該台座部から起立するボード支持部６を備えている。前記ボード支持部には，高さの異なる位置に前記円筒状の突起を保持する凹部７を有し，前記凹部の一方は，前記円筒状の突起を保持した際に，前記ボード部が前記スタンド部に対して回動可能であり，前記凹部の他方は，前記円筒状の突起を保持した際に，前記ボード部の側辺部が前記台座部に接することにより回動不能に保持する位置に設けられている。前記クリーナー部は使用時に，ボード部表面に移動可能とされている．
【選択図】図６【図１】
0006936411.tif 000002
【図２】
0006936411.tif 000003
【図３】
0006936411.tif 000004
【図４】
0006936411.tif 000005
【図５】
0006936411.tif 000006
【図６】
0006936411.tif 000007
【図７】
0006936411.tif 000008